(57)【要約】      （修正有）【課題】複数の文書ページを含むプレビュー画面において、ページを入れ替えるための、直観的でユーザフレンドリな操作方法を提供する。【解決手段】連続する文書ページを、スクロール可能なサムネイルストリップとして表示するS104。所望の複数のサムネイルを選択しS106、ストリップから離れる方向に移動するS112。複数選択さえたサムネイルを積層しS116、残りのサムネイルをスクロールするS118。所望の位置で積層した（複数選択された）サムネイルの束を戻すことでS128、複数ページの置換および移動を同時に行うS134ことができる。【選択図】図１
2018081683.tif 000002
【特許請求の範囲】
【請求項１】
プロセッサからディスプレイ装置へと文書の印刷に関連する印刷メニュー電子ディスプレイ画像を提供することであって、
前記印刷メニュー電子ディスプレイ画像がプレビューメニューオプションを有し、
前記文書が元のページ順序で文書ページを含むことと、
前記プレビューメニューオプションの選択に応答して、前記プロセッサから前記ディスプレイ装置へと可動サムネイル電子ディスプレイ画像を提供することであって、
前記可動サムネイル電子ディスプレイ画像が、前記元のページ順序で互いに順次隣接する前記文書ページの元のサイズのサムネイル画像の線形ストリップを表示することと、
選択されたサムネイル画像のサイズを変更することなく、前記選択されたサムネイル画像の外観を変更することにより、前記選択されたサムネイル画像の選択に応答して、前記文書ページの選択されていないサムネイル画像に対して前記可動サムネイル電子ディスプレイ画像内に前記選択されたサムネイル画像を強調表示することと、
前記選択されたサムネイル画像のサイズを変更することなく、前記可動サムネイル電子ディスプレイ画像内の前記選択されていないサムネイル画像から離れる前記選択されたサムネイル画像の移動に応答して、縮小したサイズの選択されていないサムネイル画像の線形ストリップを残すように前記可動サムネイル電子ディスプレイ画像内で前記元のサイズに対して前記選択されていないサムネイル画像のサイズを縮小することと、
前記可動サムネイル電子ディスプレイ画像内で、前記選択されたサムネイル画像が縮小したサイズの選択されていないサムネイル画像の前記線形ストリップに平行に移動されるのにともない、前記選択されたサムネイル画像が前記選択されていないサムネイル画像のうちの２つの隣接するものに近接して配置される場合、前記選択されていないサムネイル画像のうちの前記２つの隣接するものの間隔を元の間隔から増加させることと、
前記元のページ順序から前記線形ストリップ内の異なる位置に前記選択されたサムネイル画像を有する異なる順序へと、前記文書ページの元のサイズのサムネイル画像の前記線形ストリップを変更するように、前記選択されたサムネイル画像が前記可動サムネイル電子ディスプレイ画像内で前記選択されていないサムネイル画像のうちの前記２つの隣接するものの間において解放されるのに応答して、前記選択されていないサムネイル画像を前記元のサイズに戻すこととを備える、方法。
【請求項２】
前記選択されたサムネイル画像のうちの複数のものが前記選択中に選択される場合、前記選択されていないサムネイル画像から離れる前記選択されたサムネイル画像の前記移動に応答して、前記可動サムネイル電子ディスプレイ画像内で積層画像の単一ユニットとして複数の選択されたサムネイル画像を積層することと、
前記選択されたサムネイル画像のうちの複数のものが前記選択中に選択される場合、前記選択されたサムネイル画像が解放されるのに応答して、前記可動サムネイル電子ディスプレイ画像内の複数の選択されたサムネイル画像を積層解除することとをさらに備える、請求項１に記載の方法。
【請求項３】
プロセッサからディスプレイ装置へと文書の印刷に関連する印刷メニュー電子ディスプレイ画像を提供することであって、
前記印刷メニュー電子ディスプレイ画像がプレビューメニューオプションを有し、
前記ディスプレイ装置が前記ディスプレイ装置に表示された画面と相互作用するユーザ入力コンポーネントを含み、
前記文書が元のページ順序で文書ページを含むことと、
前記ユーザ入力コンポーネントを介した前記プレビューメニューオプションの選択に応答して、前記プロセッサから前記ディスプレイ装置へと可動サムネイル電子ディスプレイ画像を提供することであって、
前記可動サムネイル電子ディスプレイ画像が、前記ディスプレイ装置の寸法に沿って前記元のページ順序で互いに順次隣接する前記文書ページの元のサイズのサムネイル画像の線形ストリップを表示することと、
選択されたサムネイル画像を特定するために前記可動サムネイル電子ディスプレイ画像内で文書ページの前記サムネイル画像のうちの少なくとも１つを選択する前記ユーザ入力コンポーネントの動作を検出することと、
前記選択されたサムネイル画像のサイズを変更することなく、前記選択されたサムネイル画像の外観を変更することにより、前記選択に応答して、前記文書ページの選択されていないサムネイル画像に対して前記可動サムネイル電子ディスプレイ画像内に前記選択されたサムネイル画像を強調表示することと、
前記可動サムネイル電子ディスプレイ画像内で前記選択されていないサムネイル画像に対して垂直であり且つ前記選択されていないサムネイル画像から離れる第１の方向に前記選択されたサムネイル画像を移動させる前記ユーザ入力コンポーネントの動作を検出することと、
前記選択されたサムネイル画像のサイズを変更することなく、前記選択されていないサムネイル画像から離れる前記選択されたサムネイル画像の前記移動に応答して、縮小したサイズの選択されていないサムネイル画像の線形ストリップを残すように前記可動サムネイル電子ディスプレイ画像内で前記元のサイズに対して前記選択されていないサムネイル画像のサイズを縮小することと、
前記可動サムネイル電子ディスプレイ画像内で縮小したサイズの選択されていないサムネイル画像の前記線形ストリップに平行な第２の方向に前記選択されたサムネイル画像を移動させる前記ユーザ入力コンポーネントの動作を検出することと、
前記ユーザ入力コンポーネントが縮小したサイズの選択されていないサムネイル画像の前記線形ストリップに平行な前記第２の方向に前記選択されたサムネイル画像を移動させるのにともない、前記選択されたサムネイル画像が前記選択されていないサムネイル画像のうちの２つの隣接するものに近接して配置される場合、前記選択されていないサムネイル画像のうちの前記２つの隣接するものの間隔を元の間隔から増加させ、前記可動サムネイル電子ディスプレイ画像内で、前記選択されたサムネイル画像が前記選択されていないサムネイル画像に近接して配置されない場合、前記選択されていないサムネイル画像の前記間隔を前記元の間隔に戻すことと、
前記元のページ順序から前記線形ストリップ内の異なる位置に前記選択されたサムネイル画像を有する異なる順序へと、前記文書ページの元のサイズのサムネイル画像の前記線形ストリップを変更するように、前記可動サムネイル電子ディスプレイ画像内で前記選択されていないサムネイル画像のうちの前記２つの隣接するものの間において前記選択されたサムネイル画像を解放するのに応答して、前記選択されていないサムネイル画像を前記元のサイズに戻すこととを備える、方法。
【請求項４】
前記選択されたサムネイル画像のうちの複数のものが前記選択中に選択される場合、前記選択されていないサムネイル画像から離れる前記選択されたサムネイル画像の前記移動に応答して、前記可動サムネイル電子ディスプレイ画像内で積層画像の単一ユニットとして複数の選択されたサムネイル画像を積層することと、
前記選択されたサムネイル画像のうちの複数のものが前記選択中に選択される場合、前記選択されたサムネイル画像が解放されるのに応答して、前記可動サムネイル電子ディスプレイ画像内の複数の選択されたサムネイル画像を積層解除することとをさらに備える、請求項３に記載の方法。
【請求項５】
プロセッサと、
前記プロセッサに動作可能に接続されたディスプレイ装置とを備え、
前記ディスプレイ装置が、前記ディスプレイ装置に表示された画面と相互作用するユーザ入力コンポーネントを含み、
前記プロセッサが、文書の印刷に関連する印刷メニュー電子ディスプレイ画像を前記ディスプレイ装置に提供し、
前記印刷メニュー電子ディスプレイ画像がプレビューメニューオプションを有し、
前記文書が元のページ順序で文書ページを含み、
前記プロセッサが、前記ユーザ入力コンポーネントを介した前記プレビューメニューオプションの選択に応答して、可動サムネイル電子ディスプレイ画像を前記ディスプレイ装置に提供し、
前記可動サムネイル電子ディスプレイ画像が、前記ディスプレイ装置の寸法に沿って前記元のページ順序で互いに順次隣接する前記文書ページの元のサイズのサムネイル画像の線形ストリップを表示し、
前記ユーザ入力コンポーネントが、選択されたサムネイル画像を特定するために前記可動サムネイル電子ディスプレイ画像内で文書ページの前記サムネイル画像のうちの少なくとも１つの選択を検出し、
前記ディスプレイ装置が、前記選択されたサムネイル画像のサイズを変更することなく、前記選択されたサムネイル画像の外観を変更することにより、前記選択に応答して、前記文書ページの選択されていないサムネイル画像に対して前記可動サムネイル電子ディスプレイ画像内に前記選択されたサムネイル画像を強調表示し、
前記ユーザ入力コンポーネントが、前記可動サムネイル電子ディスプレイ画像内で前記選択されていないサムネイル画像に対して垂直であり且つ前記選択されていないサムネイル画像から離れる第１の方向における前記選択されたサムネイル画像の移動を検出し、
前記ディスプレイ装置が、前記選択されたサムネイル画像のサイズを変更することなく、前記選択されていないサムネイル画像から離れる前記選択されたサムネイル画像の前記移動に応答して、縮小したサイズの選択されていないサムネイル画像の線形ストリップを残すように前記可動サムネイル電子ディスプレイ画像内で前記元のサイズに対して前記選択されていないサムネイル画像のサイズを縮小し、
前記ユーザ入力コンポーネントが、前記可動サムネイル電子ディスプレイ画像内で縮小したサイズの選択されていないサムネイル画像の前記線形ストリップに平行な第２の方向における前記選択されたサムネイル画像の移動を検出し、
前記ディスプレイ装置が、前記ユーザ入力コンポーネントが縮小したサイズの選択されていないサムネイル画像の前記線形ストリップに平行な前記第２の方向における前記選択されたサムネイル画像の移動を検出するのにともない、前記選択されたサムネイル画像が前記選択されていないサムネイル画像のうちの２つの隣接するものに近接して配置される場合、前記選択されていないサムネイル画像のうちの前記２つの隣接するものの間隔を元の間隔から増加させ、前記可動サムネイル電子ディスプレイ画像内で、前記選択されたサムネイル画像が前記選択されていないサムネイル画像に近接して配置されない場合、前記選択されていないサムネイル画像の前記間隔を前記元の間隔に戻し、
前記ディスプレイ装置が、前記元のページ順序から前記線形ストリップ内の異なる位置に前記選択されたサムネイル画像を有する異なる順序へと、前記文書ページの元のサイズのサムネイル画像の前記線形ストリップを変更するように、前記可動サムネイル電子ディスプレイ画像内で前記選択されていないサムネイル画像のうちの前記２つの隣接するものの間において前記選択されたサムネイル画像を解放するのに応答して、前記選択されていないサムネイル画像を前記元のサイズに戻す、装置。
【請求項６】
前記ディスプレイ装置が、
前記選択されたサムネイル画像のうちの複数のものが前記選択中に選択される場合、前記選択されていないサムネイル画像から離れる前記選択されたサムネイル画像の前記移動に応答して、前記可動サムネイル電子ディスプレイ画像内で積層画像の単一ユニットとして複数の選択されたサムネイル画像を積層し、
前記選択されたサムネイル画像のうちの複数のものが前記選択中に選択される場合、前記選択されたサムネイル画像が解放されるのに応答して、前記可動サムネイル電子ディスプレイ画像内の複数の選択されたサムネイル画像を積層解除する、請求項５に記載の装置。
【請求項７】
前記ディスプレイ装置が、前記選択されたサムネイル画像が前記可動サムネイル電子ディスプレイ画像内で前記選択されていないサムネイル画像のうちの前記２つの隣接するものの間に配置される場合、前記可動サムネイル電子ディスプレイ画像内で前記選択されていないサムネイル画像のうちの前記２つの隣接するものの間に前記積層画像の単一ユニットを配置する、請求項６に記載の装置。
【請求項８】
前記ディスプレイ装置が、前記選択されていないサムネイル画像から離れる前記選択されたサムネイル画像の前記移動に応答して、前記可動サムネイル電子ディスプレイ画像内で縮小したサイズの選択されていないサムネイル画像の前記線形ストリップに対して垂直に前記選択されたサムネイル画像から延在する線形インジケータを表示し、前記線形インジケータが、前記選択されたサムネイル画像が前記選択されていないサムネイル画像のうちの前記２つの隣接するものの間に配置される場合を特定する、請求項５に記載の装置。
【請求項９】
前記ディスプレイ装置が、前記選択されていないサムネイル画像から離れる前記選択されたサムネイル画像の前記移動に応答して、前記可動サムネイル電子ディスプレイ画像内で前記第１の方向とは反対の第３の方向に縮小したサイズの選択されていないサムネイル画像の前記線形ストリップを移動させる、請求項５に記載の装置。
【請求項１０】
前記選択されたサムネイル画像を前記強調表示することが、前記選択されたサムネイル画像の明るさを変更すること、前記選択されたサムネイル画像の色を変更すること、前記選択されたサムネイル画像の背景の特性を変更すること、及び前記選択されたサムネイル画像の輪郭の特性を変更することのうちの少なくとも１つを備える、請求項５に記載の装置。
【発明の詳細な説明】
【技術分野】
【０００１】
本願明細書におけるシステム及び方法は、一般に、電子ディスプレイ内の文書ページの並べ替えに関する。
【背景技術】
【０００２】
従来、ページ並べ替え機能を使用する抵抗膜方式画面タッチデバイスにおいて、方法は、移動されるべきページ及びそれらのページのターゲット先を手動で特定することをともなっている。これは、若干抽象的であり且つわかりにくく、ユーザがページ番号を把握することなどを必要とする。複数の移動が行われる場合、これは、各移動イベント後のページ再付番に起因してさらにわかりにくくなる。これを考慮して、以下に提示される方法及び装置は、電子ディスプレイ内の文書ページを並べ替えるためのより直感的でユーザフレンドリーな解決策を提供する。
【発明の概要】
【課題を解決するための手段】
【０００３】
本願明細書における様々な方法は、（プロセッサからディスプレイ装置へと）文書の印刷に関連する「印刷メニュー」電子ディスプレイ画像を提供する。文書は、走査された画像、アプリケーションによって生成された印刷可能文書、又は記憶装置から取得された印刷可能アイテムとすることができ、一般に、元のページ順序で文書ページを有する。ディスプレイ装置は、ディスプレイ装置に表示された電子画面と相互作用するユーザ入力コンポーネント（例えば、タッチスクリーン、マウス、タッチパッド、トラックボールなど）を含む。印刷メニュー電子ディスプレイ画像は、「プレビュー」メニューオプションを有し、本願明細書における方法は、（プロセッサからディスプレイ装置へと）ユーザ入力コンポーネントを介したプレビューメニューオプションの選択に応答して、「可動サムネイル」電子ディスプレイ画像を提供する。
【０００４】
可動サムネイル電子ディスプレイ画像は、互いに順次隣接し（潜在的に番号付けされる）且つディスプレイ装置の次元（例えば、直線底部又は側部）に沿って元のページ順序で文書ページの元のサイズのサムネイル画像の線形ストリップを表示する。そのような方法は、（１つ以上の選択されたサムネイル画像を特定するために）可動サムネイル電子ディスプレイ画像内の文書ページのサムネイル画像の少なくともいずれかを選択するユーザ入力コンポーネントの動作を検出する。例えば、ユーザは、サムネイル画像のいずれかを選択するために、任意のユーザ入力を使用して、タップ、クリック、ポインティングなどをすることができる。１つのサムネイル画像が選択されると、単に他のサムネイル画像をタップ、クリック、ポインティングなどをすることによって第２のサムネイルが選択されることができる。サムネイル画像は、２回目に以前に選択されたサムネイル画像をタップ、クリック、ポインティングなどをすることによって同様に選択解除されることができる。
【０００５】
これらの方法はまた、選択されたサムネイル画像の外観を変更することにより（しかしながら、必ずしも選択されたサムネイル画像のサイズを変更することなく）、ユーザがサムネイル画像のうちの１つ以上を選択するのに応答して、文書ページの他のサムネイル画像に対して、可動サムネイル電子ディスプレイ画像内の選択されたサムネイル画像を強調表示することができる。そのような「強調表示」は、（他の選択されていないサムネイルに対して）選択されたサムネイル画像の明るさ（又はそれらの明るさを低減させることによって選択されていない画像を「グレー表示する」）、選択されたサムネイル画像の色、選択されたサムネイル画像の背景の特性（色、明るさなど）、選択されたサムネイル画像の輪郭（例えば、境界、エッジなど）の特性（色、明るさなど）などを変更する。サムネイル画像を選択解除すると、任意のそのような強調表示が除去される。
【０００６】
削除、編集、回転、全選択ボタンなどの様々な他のボタンが可動サムネイル電子ディスプレイ画像内に表示される。そのようなボタンは、常に表示されることができ、又は、サムネイル画像のうちの１つの選択に応答して、低減された明るさから（「グレー表示」から変更する）完全な明るさへと出現又は変更することができる。例えば、削除ボタンの選択は、サムネイル画像の線形ストリップから選択されたサムネイル画像を削除し、編集ボタンの選択は、編集画面において選択されたサムネイル画像を提示し、回転ボタンの選択は、サムネイル画像の線形ストリップ内で選択されたサムネイル画像を回転させ、全選択ボタンの選択は、サムネイル画像の線形ストリップ内の全ての選択されたサムネイル画像を選択する、などである。
【０００７】
本願明細書における方法は、さらに、可動サムネイル電子ディスプレイ画像内の選択されていないサムネイル画像の線形ストリップに対してほぼ垂直（例えば、３０％以内垂直）である及び／又は線形ストリップから離れる第１の方向（例えば、上方、右方、左方など）に選択されたサムネイル画像を移動させるユーザ入力コンポーネントの動作を検出する。例えば、ユーザは、選択されていないサムネイル画像から離れるようにサムネイル画像のうちの１つを把持してドラッグするように、「クリックアンドドラッグ」操作を実行するようにポインティングデバイスを動かしながら（又はタッチスクリーンに接触している項目を動かしながら）ボタンを押し続ける（又はタッチスクリーンと絶え間なく接触し続ける）ことができる。
【０００８】
複数のサムネイル画像が選択された場合、複数の選択されたサムネイル画像は、選択されたサムネイル画像が選択されていないサムネイル画像から離れるように移動されると、可動サムネイル電子ディスプレイ画像内の「積層画像」の単一ユニットとして積層される。それゆえに、ユーザが複数のサムネイル画像を選択した場合、ユーザが選択されていないサムネイル画像の線形ストリップから離れるように選択されたサムネイル画像のうちの１つを移動させ始めると、全ての選択されたサムネイル画像は、サムネイル画像の線形ストリップから離れるように一斉に移動し、ディスプレイ上で積層画像として滑らかに一体となる。それゆえに、積層画像の単一ユニットは、ユーザが複数の選択されたサムネイル画像のうちの１つを移動させた後に、選択されていないサムネイル画像の線形ストリップから分離される。
【０００９】
そのような方法はまた、必ずしも選択されたサムネイル画像のサイズを変えることなく、ユーザが選択されていないサムネイル画像から離れるように選択されたサムネイル画像を移動させるのに応答して、可動サムネイル電子ディスプレイ画像内で元のサイズに対して選択されていないサムネイル画像のサイズを縮小することができる。さらに、これらの方法は、他の選択されていないサムネイル画像から選択されて移動されたサムネイル画像を視覚的に区別するのを助けるように、ユーザが選択されていないサムネイル画像から離れるように選択されたサムネイル画像を移動させるのに応答して、可動サムネイル電子ディスプレイ画像内で第１の方向とは反対の他の方向に選択されていないサムネイル画像の線形ストリップを移動することができる。
【００１０】
また、これらの方法は、可動サムネイル電子ディスプレイ画像内のサムネイル画像の線形ストリップにほぼ平行（例えば、３０％以内平行）である第２の方向に選択されたサムネイル画像（又は積層画像の単一ユニット）を移動させるユーザ入力コンポーネントの動作を検出する。本方法は、ユーザ入力コンポーネントがサムネイル画像の線形ストリップに平行に選択されたサムネイル画像を移動させるのにともない、選択されたサムネイル画像（又は積層画像の単一ユニット）が２つの隣接するサムネイル画像に近接して配置される場合、選択されていないサムネイル画像のうちの２つの隣接するものの間隔を元の間隔から広げる。次いで、本願明細書における方法は、選択されたサムネイル画像（又はサムネイル画像の積層）が（可動サムネイル電子ディスプレイ画像内の）選択されていないサムネイル画像に近接して配置されない場合、選択されていないサムネイル画像の間隔を元の間隔に戻す。
【００１１】
換言すれば、ユーザが選択されていないサムネイル画像の線形ストリップに沿って選択されたサムネイル画像（又は積層画像の単一ユニット）を移動させるのにともない、選択されたサムネイル画像（又は積層画像の単一ユニット）に最も近い位置にある２つの選択されていないサムネイルは、ドロップ又は移動されることになる選択されたサムネイル画像（又は積層画像の単一ユニット）についての空間を作成するために（第２の方向に沿って）互いに分離する。さらに、ユーザが選択されていないサムネイル画像の線形ストリップに沿って選択されたサムネイル画像（又は積層画像の単一ユニット）を移動し続けるのにともない、作成された空間がもはやその隣接する選択されていないサムネイル画像対間にないが、選択されていないサムネイル画像の異なる対へと移動されるように、その選択されていない分離されたサムネイル画像対は元の空間に戻る。
【００１２】
また、これらの方法は、選択されていないサムネイル画像から離れる選択されたサムネイル画像の移動に応答して、選択されたサムネイル画像（又は積層画像の単一ユニット）から隣接する選択されていないサムネイル画像対の間の空間まで（例えば、可動サムネイル電子ディスプレイ画像内のサムネイル画像の線形ストリップに対してほぼ垂直な方向に）延在する線形インジケータ（例えば、線、矢印など）を表示することができる。この線形インジケータは、解放される場合、選択されたサムネイル画像（又は積層画像の単一ユニット）が選択されていないサムネイル画像の線形ストリップの間に配置される場合を特定する。
【００１３】
ユーザが上述したクリックアンドドラッグ操作において保持されたボタンを解放する（又はタッチスクリーンから指を取り除く）ことによって選択されたサムネイル画像（又は積層画像の単一ユニット）を解放すると、選択されたサムネイル画像（又は積層画像の単一ユニット）は、選択されたサムネイル画像（又は積層画像の単一ユニット）が選択されていないサムネイル画像の線形ストリップにおける隣接する選択されていないサムネイル画像対の間の空間内に配置されるまで、選択されていないサムネイル画像の線形ストリップに向かって第３の方向（第１の方向とは反対）に移動する。
【００１４】
（そのように解放された後）選択されたサムネイル画像が隣接する選択されていないサムネイル画像対の間の空間に移動するのにともない、選択されていないサムネイル画像の線形ストリップは、解放されたサムネイル画像がサムネイル画像の線形ストリップ内の他の同様のサイズのサムネイル画像間に位置するように移動するように元のサイズに戻る。複数のサムネイル画像が選択された場合、積層画像のユニットは、個々のサムネイル画像に広がる（積層画像のユニットが解放されてサムネイル画像の線形ストリップにおける空間内に広がる場合、より大きい元のページ番号を有する選択されたサムネイル画像がより小さい元のページ番号を有するものの後に現れるように、そのようなものの順序は相対的な元の順序から維持される）。さらに、この時点では、いかなる強調表示もサムネイル画像から除去され、そのため、いかなる強調表示もされていない新たに順序付けられたサムネイル画像の線形ストリップがディスプレイ上に提示される。そのような動作は、ユーザが望む回数だけ繰り返すことができる。したがって、これは、元のページ順序から線形ストリップ内の異なる位置に選択されたサムネイル画像を有する異なる順序へと、文書ページの元のサイズのサムネイル画像の線形ストリップを変更する。
【００１５】
本願明細書における例示的な装置は、（他のコンポーネントの中でも）プロセッサと、プロセッサと動作可能に通信するディスプレイ装置などを含む。ディスプレイ装置は、ディスプレイ装置に表示された画面と相互作用するユーザ入力コンポーネントを含む。プロセッサは、ディスプレイ装置に文書の印刷に関連する「印刷メニュー」電子ディスプレイ画像を提供し、ディスプレイ装置は、それを表示する。印刷メニュー電子ディスプレイ画像は、「プレビュー」メニューオプションを有する。そのような文書は、元のページ順序で文書ページを含む。ユーザ入力コンポーネントを介したプレビューメニューオプションの選択に応答して、プロセッサは、ディスプレイ装置に「可動サムネイル」電子ディスプレイ画像を提供し、ディスプレイ装置は、それを表示する。
【００１６】
可動サムネイル電子ディスプレイ画像は、ディスプレイ装置の寸法に沿って（例えば、ディスプレイ装置のエッジに平行に）元のページ順序で互いに順次隣接する文書ページの元のサイズのサムネイル画像の線形ストリップを表示する。ユーザ入力コンポーネントは、選択されたサムネイル画像を特定するために可動サムネイル電子ディスプレイ画像内の文書ページのサムネイル画像のうちの少なくとも１つの選択を検出することができる。この選択に応答して、ディスプレイ装置は、選択されたサムネイル画像のサイズを変更することなく、選択されたサムネイル画像の外観を変更することにより、文書ページの選択されていないサムネイル画像に対して可動サムネイル電子ディスプレイ画像内の選択されたサムネイル画像を強調表示する。
【００１７】
ユーザ入力コンポーネントはまた、可動サムネイル電子ディスプレイ画像内の選択されていないサムネイル画像の線形ストリップに対してほぼ垂直であり且つ線形ストリップから離れる第１の方向における選択されたサムネイル画像の移動を検出することができる。選択されていないサムネイル画像から離れる選択されたサムネイル画像の移動に応答して、ディスプレイ装置は、同様に選択されたサムネイル画像のサイズを変更することなく、可動サムネイル電子ディスプレイ画像内の元のサイズに対して選択されていないサムネイル画像のサイズを縮小する。上述したように、ディスプレイは、解放される場合、選択されたサムネイル画像（又は積層画像の単一ユニット）が選択されていないサムネイル画像の線形ストリップ間に配置される場合を特定する線形インジケータを提供することができる。
【００１８】
同様に、複数のサムネイル画像が選択された場合、複数の選択されたサムネイル画像は、選択されたサムネイル画像が選択されていないサムネイル画像の線形ストリップから離れるように移動されるときに単一ユニットとして積層される。それゆえに、ユーザが複数のサムネイル画像を選択した場合、ユーザが選択されていないサムネイル画像の線形ストリップから離れるように選択されたサムネイル画像のうちの１つを移動させ始めると、全ての選択されたサムネイル画像は、選択されていないサムネイル画像の線形ストリップから離れるように一斉に移動し、ディスプレイ上で積層画像として滑らかに一体となる。
【００１９】
さらに、ユーザ入力コンポーネントは、可動サムネイル電子ディスプレイ画像内のサムネイル画像の線形ストリップにほぼ平行な第２方向における選択されたサムネイル画像の移動を検出することができる。ディスプレイ装置は、選択されたサムネイル画像が２つの隣接するサムネイル画像に近接して配置される場合（ユーザ入力コンポーネントは、サムネイル画像の線形ストリップに平行な第２の方向における選択されたサムネイル画像の移動を検出するのにともない）、サムネイル画像の線形ストリップにおける２つの隣接するサムネイル画像の間隔を元の間隔から増加させる。さらに、ディスプレイ装置は、選択されたサムネイル画像が可動サムネイル電子ディスプレイ画像内の選択されていないサムネイル画像のうちの他の隣接するものに近接して配置されない場合、他の隣接するサムネイル画像の間隔を元の間隔に戻す。
【００２０】
選択されたサムネイル画像が２つの隣接するサムネイル画像の間隔に解放されると、ディスプレイ装置は、選択されていないサムネイル画像を元のサイズに戻し、これは、元のページ順序から線形ストリップ内の異なる位置に選択されたサムネイル画像を有する異なる順序へと、文書ページの元のサイズのサムネイル画像の線形ストリップを変更する。
【００２１】
これらの及び他の特徴は、以下の詳細な説明に記載されるか又はそれから明らかである。
【００２２】
添付図面を参照しながら、様々な例示的なシステム及び方法が以下に詳細に記載される。
【図面の簡単な説明】
【００２３】
【図１】図１は、本願明細書における様々な方法のフロー図である。
【図２】図２は、本願明細書におけるディスプレイを示す概略図である。
【図３】図３は、本願明細書におけるディスプレイを示す概略図である。
【図４】図４は、本願明細書におけるディスプレイを示す概略図である。
【図５】図５は、本願明細書におけるディスプレイを示す概略図である。
【図６】図６は、本願明細書におけるディスプレイを示す概略図である。
【図７】図７は、本願明細書におけるディスプレイを示す概略図である。
【図８】図８は、本願明細書におけるディスプレイを示す概略図である。
【図９】図９は、本願明細書におけるディスプレイを示す概略図である。
【図１０】図１０は、本願明細書におけるディスプレイを示す概略図である。
【図１１】図１１は、本願明細書におけるディスプレイを示す概略図である。
【図１２】図１２は、本願明細書におけるディスプレイを示す概略図である。
【図１３】図１３は、本願明細書におけるディスプレイを示す概略図である。
【図１４】図１４は、本願明細書におけるディスプレイを示す概略図である。
【図１５】図１５は、本願明細書におけるディスプレイを示す概略図である。
【図１６】図１６は、本願明細書におけるシステムを示す概略図である。
【図１７】図１７は、本願明細書における装置を示す概略図である。
【図１８】図１８は、本願明細書における装置を示す概略図である。
【発明を実施するための形態】
【００２４】
上述したように、従来のページ並べ替えシステムは、若干抽象的であり且つわかりにくいことがある。これを考慮して、本願明細書において提示される方法及び装置は、例えば、静電容量式タッチスクリーン上の画像プレビュー内のページを並べ替えるためのより直感的でユーザフレンドリーな解決策を提供する。これらの方法及びシステムにおいて、ユーザは、ページ画像の「フィルムストリップ」を表示する。ユーザは、対応するサムネイル画像上でタップすることによって移動したいページを選択し、それらがタップされると、各ページは、それが選択されたことを示して強調表示される。そして、ユーザは、選択されたページのうちのいずれかに指を保持し、それを上向きにドラッグし、選択されたページの全てが一緒に移動する。ページ群がフィルムストリップ上の閾値高さに到達すると、選択されたページは単一スタックに崩壊し、フィルムストリップにおける残りのページは、移動されるページによって形成されるギャップを埋めるようにともに戻る。そして、ユーザは、群に対応するために分離するフィルムストリップにおける新たな位置に移動されるようにページの群をドラッグする。解放すると、ページ群は、個々のページ画像へとフィルムストリップ内で拡張し、全てのページが再付番される。
【００２５】
図１は、本願明細書における例示的な方法を示し且つ以下の説明において図２〜図１５を参照して説明されるフローチャートである。これらの方法は、（図２に示されるプロセッサ２１６、２２４からディスプレイ装置２１２へと）文書の印刷に関連する「印刷メニュー」電子ディスプレイ画像３５０を提供し、ディスプレイ装置２１２は、図１における項目１００に示されるように、それを表示する。ディスプレイ装置２１２は、プリンタ、複写機、多機能装置、コンピュータ、携帯型電子装置などの又はそれらに接続されたコンポーネントとすることができ、文書は、走査された画像、ソフトウェアアプリケーションによって生成された印刷可能文書、記憶装置から取得された印刷可能アイテムなどとすることができ、一般に、元のページ順序で文書ページを有する。
【００２６】
図２に示されるように、ディスプレイ装置２１２は、ディスプレイ装置２１２に表示される電子画面（例えば、図２〜図１５に示される３２０、３５０）と相互作用するユーザ入力コンポーネント２５０（タッチスクリーン２１２、キーボード２５２、タッチパッド２５４、マウス２５６、トラックボール２５８など、又は任意の同様の装置を含む非限定的な例）を構成する１つ以上のアイテムを含む。印刷メニュー電子ディスプレイ画像３５０は、（限定されるものではないが）「印刷」メニューオプション３５２、「プレビュー」メニューオプション３５４、「用紙サイズ」メニューオプション３５６、「キャンセル」メニューオプション３５８などを含む様々なメニューオプションを含むことができる。（ユーザ入力コンポーネント２５０へのユーザ入力を介した）プレビューメニューオプション３５４のユーザ選択は、図１における項目１０２として示されている。
【００２７】
本願明細書における方法は、項目１０２におけるプレビューメニューオプション３５４の選択に応答して、図１における項目１０４の「可動サムネイル」電子ディスプレイ画像を（プロセッサ２１６、２２４からディスプレイ装置２１２へと）提供する。図３に示されるように、可動サムネイル電子ディスプレイ画像３２０は、ディスプレイ装置２１２の（例えば、直線底部又は側部に平行な）寸法に沿って（示されるように、潜在的には番号付けされる）互いに順次隣接し且つ元のページ順序で文書ページの元のサイズのサムネイル画像３３０の線形ストリップを表示する。
【００２８】
項目１０６において、そのような方法は、（１つ以上の選択されたサムネイル画像３００を特定するために）可動サムネイル電子ディスプレイ画像３２０内のサムネイル画像のうちの少なくとも１つを選択するユーザ入力コンポーネント２５０の動作を検出する。イラスト要素３１２は、本願明細書における方法及びシステムが動作する方法を理解する助けとしてユーザ入力コンポーネント２５０の動作を示しており、（特に、ユーザ入力コンポーネント２５０がタッチスクリーンディスプレイ２１２である場合）必ずしも可動サムネイル電子ディスプレイ画像３２０内に表示される要素ではない。例えば、特徴３１２は、サムネイル画像３００のうちの１つを選択するために任意のユーザ入力２５０を使用してユーザがタップ、クリック、ポインティングなどを行うことができることを示している。１つのサムネイル画像３００が選択されると、他のサムネイル画像上で単にタップ、クリック、ポインティングなどを行うことによって２番目が選択されることができる（図１１に示されるように、サムネイル画像３００及び３０２が選択される）。サムネイル画像は、２回目に以前に選択されたサムネイル画像３００をタップ、クリック、ポインティングなどをする（例えば、以前に選択されたサムネイル画像を追加の時間に再選択する）ことによって同様に選択解除されることができる。表示要素３１６は、現在選択されているサムネイル画像の数を示し、サムネイル画像が選択又は選択解除されるたびに更新される。
【００２９】
これらの方法はまた、項目１０８において示されるように、ユーザがサムネイル画像のうちの１つ以上を選択するのに応答して、文書ページの選択されていないサムネイル画像３１８に対して、可動サムネイル電子ディスプレイ画像３２０内の選択されたサムネイル画像３００を視覚的に強調表示することができる。項目１０８における強調表示プロセスは、（しかしながら、必ずしも選択されたサムネイル画像３００のサイズを変更することなく）選択されたサムネイル画像３００の外観を変更する。例えば、項目３００及び３０２において示されるように、そのような強調表示は、（他の選択されていないサムネイルに対して）選択されたサムネイル画像３００、３０２の明るさ（又はそれらの明るさを低減させることによって選択されていない画像を「グレー表示する」）、選択されたサムネイル画像３００、３０２の色、選択されたサムネイル画像３００、３０２の背景の特性（色、明るさなど）、選択されたサムネイル画像３００、３０２の輪郭（例えば、境界、エッジなど）の特性（色、明るさなど）などを変更する。サムネイル画像を選択解除すると、項目１０８における任意のそのような強調表示が除去される。
【００３０】
図３は、可動サムネイル電子ディスプレイ画像３２０内に表示される削除３０４、回転３０６、編集３０８、全選択３１０、キャンセル３１４のボタンなどの様々な他のボタンを示している。そのようなボタンは、常に表示されることができ、又は、サムネイル画像のうちの１つ以上の選択に応答して、低減された明るさから（「グレー表示」から変更する）完全な明るさへと出現又は変更することができる。図１における項目１１０は、そのようなオプションボタンの選択を示している。例えば、項目１１０において、削除ボタン３０４の選択は、選択されていないサムネイル画像３１８の線形ストリップから選択されたサムネイル画像３００を削除し、回転ボタン３０６の選択は、選択されていないサムネイル画像３１８の線形ストリップ内で選択されたサムネイル画像３００を回転させ、編集ボタン３０８の選択は、編集画面において選択されたサムネイル画像３００を提示し、全選択ボタン３１０の選択は、選択されていないサムネイル画像３１８の線形ストリップ内の全ての選択されたサムネイル画像３００を選択し、キャンセルボタン３１４の選択は、図２に示される印刷メニュー電子ディスプレイ画像３５０に表示を返す、などである。
【００３１】
図１における項目１１２に示されるように、本願明細書における方法は、さらに、第１の方向に選択されたサムネイル画像３００を移動させるユーザ入力コンポーネント２５０の動作を検出する。これはまた、イラスト要素３１２及びブロック矢印によって図４に示されており、第１の方向が可動サムネイル電子ディスプレイ画像３２０内の選択されていないサムネイル画像３１８の線形ストリップに対してほぼ垂直（例えば、３０％以内垂直）である及び／又はそれから離れる（例えば、上方、右方、左方など）旨を示している。例えば、項目１１２において、ユーザは、選択されていないサムネイル画像３１８から離れるようにサムネイル画像３００のうちの１つを把持してドラッグするように、「クリックアンドドラッグ」操作を実行するようにポインティングデバイスを動かしながら（又はタッチスクリーンに接触している項目を動かしながら）ボタンを押し続ける（又はタッチスクリーンと絶え間なく接触し続ける）ことができる。
【００３２】
また、図４に示されるように、そのような方法は、必ずしも選択されたサムネイル画像３００のサイズを変更することなく、ユーザが項目１１２において選択されていないサムネイル画像３１８から離れるように選択されたサムネイル画像３００を移動させるのに応答して、図１における項目１１４に示されるように、可動サムネイル電子ディスプレイ画像３２０内の元のサイズに対して選択されていないサムネイル画像３１８のサイズを縮小することができる。
【００３３】
また、図１における項目１１６において、複数のサムネイル画像が選択された場合、複数の選択されたサムネイル画像３００、３０２は、選択されたサムネイル画像３００が項目１１２において選択されていないサムネイル画像３１８から離れるように移動されると、可動サムネイル電子ディスプレイ画像３２０内の「積層画像」の単一ユニットとして積層される。図１２は、選択されていないサムネイル画像３１８の線形ストリップから離れるように移動される複数の選択されたサムネイル画像３００、３０２を示しており、図１３は、可動サムネイル電子ディスプレイ画像３２０内の「積層画像」３２２の単一ユニットとして積層される複数の選択されたサムネイル画像３００、３０２を示している。それゆえに、ユーザが複数のサムネイル画像３００、３０２を選択した場合、項目１１６においてユーザが選択されていないサムネイル画像３１８の線形ストリップから離れるように選択されたサムネイル画像３００のうちの１つを移動させ始めると、全ての選択されたサムネイル画像３００は、選択されていないサムネイル画像３１８の線形ストリップから離れるように一斉に移動し、ディスプレイ３２０上で積層画像３２２として滑らかに一体となる。それゆえに、積層画像３２２の単一ユニットは、ユーザが複数の選択されたサムネイル画像３００のうちの１つを移動させた後に、選択されていないサムネイル画像３１８の線形ストリップから分離される。
【００３４】
さらに、図１における項目１１８において、これらの方法は、選択されていないサムネイル画像３１８から選択されて移動されたサムネイル画像３００を視覚的に区別するのに役立つように、ユーザが項目１１２において選択されていないサムネイル画像３１８から離れるように選択されたサムネイル画像３００を移動させるのに応答して、可動サムネイル電子ディスプレイ画像３２０内の選択されていないサムネイル画像３１８の線形ストリップを第１の方向とは反対の他の方向に移動させることができる。これは、例えば、選択されていないサムネイル画像３１８の線形ストリップが選択されたサムネイル画像３００、３０２よりも小さく且つそれから離れるように移動される図４及び図１２において示されている。
【００３５】
図１における項目１２０において、これらの方法は、可動サムネイル電子ディスプレイ画像３２０内の選択されていないサムネイル画像３１８の線形ストリップにほぼ平行（例えば、３０％以内平行）である第２の方向に選択されたサムネイル画像３００（又は積層画像３２２の単一ユニット）を移動させるユーザ入力コンポーネント２５０の動作を検出する。これはまた、イラスト要素３１２及びブロック矢印が選択されていないサムネイル画像３１８の線形ストリップにほぼ平行である第２の方向に移動される選択されたサムネイル画像３００（又は積層画像３２２の単一ユニット）を示している図５、図６及び図１３に示されている。
【００３６】
図１における項目１２２において、本方法は、ユーザ入力コンポーネント２５０が項目１２０において選択されていないサムネイル画像３１８の線形ストリップに平行に選択されたサムネイル画像３００を移動させるのにともない、選択されたサムネイル画像３００（又は積層画像３２２の単一ユニット）が２つの隣接するサムネイル画像に近接して配置される場合、選択されていないサムネイル画像３１８のうちの２つの隣接するものの間隔を元の線形ストリップ間隔から増加させる。次いで、図１における項目１２４において、本願明細書における方法は、選択されたサムネイル画像３００（又はサムネイル画像３２２の積層）が（可動サムネイル電子ディスプレイ画像３２０内の）選択されていないサムネイル画像３１８に近接して配置されない場合、選択されていないサムネイル画像３１８の間の間隔を元の間隔に戻す。
【００３７】
図１における項目１２２及び１２４に示されている特徴はまた、図４〜図６及び図１３にも示されており、ユーザ３１２が選択されていないサムネイル画像３１８の線形ストリップに沿って選択されたサムネイル画像３００（又は積層画像３２２の単一ユニット）を移動させるのにともない、選択されたサムネイル画像３００（又は積層画像３２２の単一ユニット）に最も近い選択されていないサムネイル画像３１８の線形ストリップにおける２つの選択されていないサムネイルは、ドロップ又は移動されることになる選択されたサムネイル画像３００（又は積層画像の単一ユニット）についての間隔３２８を形成するために、項目１２２において（第２の方向に沿って）互いに分離する。
【００３８】
例えば図４〜図６を比較することによってわかるように、ユーザ操作３１２が選択されていないサムネイル画像３１８の線形ストリップに沿って選択されたサムネイル画像３００（又は積層画像の単一ユニット）を移動させ続けるのにともない、形成された空間３２８がもはや選択されていないサムネイル画像３１８の対間にはないが、選択されていないサムネイル画像３１８の異なる対まで移動するように、その選択されていない分離されたサムネイル画像の最も近い対は、項目１２４において元の線形ストリップ間隔に戻る。それゆえに、図４において、選択されたサムネイル画像３００が図８及び図１０の最も近くに配置されるときに離れるように移動するサムネイル画像ページ８及び１０によって空間３２８が形成される。しかしながら、図５において、サムネイル画像ページ８及び１０を元の間隔に戻すと同時に、選択されたサムネイル画像３００が図６及び図８の最も近くに配置されるのにともない、空間３２８は、サムネイル画像ページ６及び８を離れるように移動させる可動サムネイル電子ディスプレイ画像３２０によってサムネイル画像ページ６及び８の間に移動する。
【００３９】
さらに、空間３２８が選択されていないサムネイル画像３１８の線形ストリップにおけるサムネイル画像間の異なる位置に移動するのにともない、サムネイル画像ページ番号付けは、空間３２８がページ番号を使用して特定されるように変化する。したがって、図４に示されるサムネイル画像ページ８は、空間３２８がもはやそのサムネイル画像上になくなると、図５におけるサムネイル画像ページ９となる。同様に、図４に示されるサムネイル画像ページ７は、選択されたサムネイル画像３００がサムネイル画像６及び８に最も近くに配置されるとき、図５におけるサムネイル画像ページ８へと変化する。
【００４０】
また、図１における項目１２６において、これらの方法は、項目１１２において選択されていないサムネイル画像３１８から離れるように選択されたサムネイル画像３００を移動させるのに応答して、選択されたサムネイル画像３００（又は積層画像３２２の単一ユニット）から隣接する選択されていないサムネイル画像３１８の対間の空間３２８まで延在する（図４〜図７及び図１３に示される）線形インジケータ３２６を表示することができる。線形インジケータ３２６は、例えば、可動サムネイル電子ディスプレイ画像３２０内の選択されていないサムネイル画像３１８の線形ストリップに対してほぼ垂直な方向に延在する線、矢印などとすることができる。この線形インジケータ３２６は、解放される場合、選択されたサムネイル画像３００（又は積層画像３２２の単一ユニット）が選択されていないサムネイル画像３１８の線形ストリップの間に配置される場合を特定する。
【００４１】
図１における項目１２８に示されるように、これらの方法は、上述したクリックアンドドラッグ操作において保持されていたボタンを解放する（又はタッチスクリーン、マウス、トラックパッド、トラックボールなどから指を取り除く）ことによって選択されたサムネイル画像３００（又は積層画像３２２の単一ユニット）を「解放」するユーザのユーザ入力コンポーネント２５０の動作３１２を検出する。選択されたサムネイル画像３００を解放する操作は、図７におけるブロック矢印によって示されており、ボタン又は画面が解放される前の空間３２８への選択されたサムネイル画像３００の移動を含むことができる。
【００４２】
図８及び図１４に示されるように、ユーザが図１における項目１２８においてサムネイル画像を解放した後、選択されたサムネイル画像３００（又は積層画像３２２の単一ユニット）は、（図１における項目１３０において示されるように）選択されたサムネイル画像３００（又は積層画像３２２の単一ユニット）が選択されていないサムネイル画像３１８の線形ストリップにおける隣接する選択されていないサムネイル画像の対間の空間３２８内に配置されるまで、選択されていないサムネイル画像３１８の線形ストリップに向かって第３の方向（ブロック矢印によって示される第１の方向とは反対の方向）に移動する。図９及び図１５は、選択されていないサムネイル画像３１８の線形ストリップ内に戻った選択されたサムネイル画像３００、３０２を示しており、そのような画像は、それらが解放された空間３２８に関連付けられたサムネイル画像ページ番号を受け取る。
【００４３】
選択されたサムネイル画像３００が（項目１２８においてそのように解放された後）項目１３０において隣接する選択されていないサムネイル画像３１８の対間の空間３２８に移動するのにともない、選択されていないサムネイル画像３１８の線形ストリップは、解放されたサムネイル画像が選択されていないサムネイル画像３１８の線形ストリップ内の他の同様のサイズのサムネイル画像間に配置されるように移動するように、項目１３２において元のサイズに戻り、これは、図１０及び図１５に示されている。
【００４４】
図１４において同様に示されるように、複数のサムネイル画像が選択された場合、積層画像３２２のユニットは、積層画像３２２のユニットが隣接する選択されていないサムネイル画像の対間の空間３２８に移動するのにともない、（図１において、項目１３４において示される）個々のサムネイル画像３００、３０２に広がる。積層画像３２２のユニットが項目１３４において広がる場合、並べ替えられた選択されていないサムネイル画像３１８の線形ストリップ内のそのようなサムネイル画像の順序は、相対的な元の順序から維持される。したがって、項目１３４において、より大きい元のページ番号を有する選択されたサムネイル画像は、積層画像３２２のユニットが解放され、選択されていないサムネイル画像３１８の線形ストリップにおける空間３２８内に広がる場合、並べ替えられたサムネイル画像の線形ストリップ内のより小さい元のページ番号を有するものの後に現れる。
【００４５】
さらに、ユーザが項目１２８において選択されたサムネイル画像３００を解放すると、図１０にも同様に示されるように、いかなる強調表示もなく、新たに順序付けられた選択されていないサムネイル画像３３２の線形ストリップがディスプレイ上に提示されるように、項目１３６においてサムネイル画像からいかなる強調表示も除去される。したがって、このプロセスは、文書ページの元のサイズのサムネイル画像３３０の線形ストリップを元のページ順序から新たに順序付けられた選択されていないサムネイル画像３３２の線形ストリップ内の異なる位置に選択されたサムネイル画像を有する異なる順序へと変更する。
【００４６】
本願明細書に記載されたハードウェアは、より迅速に達成されることになる解決策を可能とするための機構として（すなわち、計算を実行するためのコンピュータを利用することによって）単に機能するにすぎないよりもむしろ、上述した方法が実行されるのを可能とする際に重要な部分を果たす。
【００４７】
当業者によって理解されるように、本願明細書に記載されたプロセスは、人間単独（又はペン及び紙のパッドによって動作するもの）によって行うことができず、代わりに、そのようなプロセスは、機械によってのみ行うことができる（特に、電子ディスプレイ、自動処理、及び電子文書内のページ順序の変更が考えられる場合）。具体的には、電子データストリームの表示、表示されている電子アイテムの変更、スキャナ、プリンタ及びディスプレイ装置の使用などのプロセスは、異なる専用機械の利用を必要とし、人間は、機械なしではそのような処理を行うことができない。さらに、本願明細書における方法は、電子グラフィックユーザインターフェースの相互作用をともない且つそれに常に関連付けられることから、そのような機械のみのプロセスは、単なる「ポスト・ソリューション・アクティビティ」ではない。換言すれば、本方法が機械なしでは行うことができない（及び人間単独によって行うことができない）ことから、これらの様々な機械は、本願明細書における方法と一体化される。
【００４８】
さらに、本願明細書における方法は、多くの非常に複雑な技術的課題を解決する。例えば、上述したように、ユーザは、大抵の場合、電子文書内のページを並べ替える方法について混乱するか、又はそのように行おうとするときにイライラして誤りを起こす。本願明細書における方法は、便利であり且つグラフィカルに駆動されるディスプレイ対話型ツールを使用して、ユーザが１つ以上のページを直感的に選択して新しい位置に移動させるのを可能とすることにより、この技術的課題を解決する。これは、ページを並べ替えるときにユーザが発生することができる誤りの量を削減し、ユーザにとってプロセスを簡略化することによってユーザの満足度を増加させる。そのような利益を付与することにより、本願明細書における方法は、発生される誤りの量を削減し、それにより、プロバイダが今日経験するかなりの技術的課題を解決する。
【００４９】
図１６に示されるように、本願明細書における例示的なシステム及び方法は、様々な異なる物理的位置２０６に配置された様々なコンピュータ化装置２００、２０４を含む。コンピュータ化装置２００、２０４は、印刷サーバ、印刷装置、パーソナルコンピュータなどを含むことができ、ローカル又はワイドエリア（有線又は無線）ネットワーク２０２を介して通信する（互いに動作可能に接続される）。
【００５０】
図１７は、本願明細書におけるシステム及び方法によって使用可能であり、例えば、印刷サーバ、パーソナルコンピュータ、携帯型コンピューティング装置などを含むことができるコンピュータ化装置２００を示している。コンピュータ化装置２００は、コントローラ／有形プロセッサ２１６と、有形プロセッサ２１６及びコンピュータ化装置２００の外部のコンピュータ化ネットワーク２０２に動作可能に接続された通信ポート（入出力）２１４とを含む。また、コンピュータ化装置２００は、グラフィカルユーザインターフェース（ＧＵＩ）アセンブリ２１２などの少なくとも１つのアクセサリ機能コンポーネントを含むことができる。ユーザは、グラフィカルユーザインターフェース又はコントロールパネル２１２からメッセージ、命令、及びメニューオプションを受信することができ、グラフィカルユーザインターフェース又はコントロールパネル２１２を介して命令を入力することができる。
【００５１】
入出力装置２１４は、コンピュータ化装置２００との間の通信に使用され、（現在知られているか又は将来開発されるかにかかわらず、任意の形態の）有線装置又は無線装置を含む。有形プロセッサ２１６は、コンピュータ化装置の様々な動作を制御する。（光、磁気、コンデンサベースなどとすることができ、一時的信号とは異なる）持続的で有形のコンピュータ記憶媒体装置２１０は、有形プロセッサ２１６によって読み取り可能であり、コンピュータ化装置が本願明細書に記載されるものなどの様々な機能を実行するのを可能とするように、有形プロセッサ２１６が実行する命令を記憶する。それゆえに、図１７に示されるように、本体ハウジングは、電源２１８によって交流（ＡＣ）電源２２０から供給される電力で動作する１つ以上の機能コンポーネントを有する。電源２１８は、共通の電力変換ユニット、電力記憶素子（例えば、電池など）などを備えることができる。
【００５２】
図１８は、本願明細書におけるシステム及び方法によって使用可能であり、例えば、プリンタ、複写機、複合機、多機能装置（ＭＦＤ）などを含むことができる印刷装置２０４であるコンピュータ化装置を示している。印刷装置２０４は、上述したコンポーネントの多くと、（画像データを処理するために特化されていることから汎用コンピュータとは異なる）専用画像プロセッサ２２４に動作可能に接続された少なくとも１つのマーキング装置（印刷エンジン）２４０、シート供給部２３０からマーキング装置２４０へと連続媒体又は媒体シートを供給するように配置された媒体経路２３６などを含む。印刷エンジン２４０から様々なマーキングを受けた後、媒体シートは、必要に応じて、様々な印刷シートに折り畳み、ステープル止め、ソートなどを行うことができる仕上げ部２３４に渡すことができる。また、印刷装置２０４は、（電源２１８を介して）外部電源２２０から供給された電力で同様に動作する（スキャナ／文書ハンドラ２３２（自動給紙装置（ＡＤＦ））などの）少なくとも１つのアクセサリ機能コンポーネントを含むことができる。
【００５３】
１つ以上の印刷エンジン２４０は、現在知られているか又は将来開発されるかにかかわらず、連続媒体又は媒体シートにマーキング材料（トナー、インクなど）を塗布する任意のマーキング装置を例示するように意図されており、例えば、感光体ベルト２４８若しくは中間転写ベルト２６０を使用する装置、又は印刷媒体に直接印刷する装置（例えば、インクジェットプリンタ、リボンベースコンタクトプリンタなど）を含むことができる。
【００５４】
当業者によって理解されるように、図１８に示される印刷装置２０４は一例にすぎず、本願明細書におけるシステム及び方法は、より少ないコンポーネント又はより多くのコンポーネントを含むことができる他の種類の印刷装置にも等しく適用可能である。例えば、限られた数の印刷エンジン及び用紙経路が図１８に示されているが、当業者は、より多くの用紙経路及び追加の印刷エンジンを本願明細書におけるシステム及び方法によって使用される任意の印刷装置内に含めることができることを理解するであろう。
【００５５】
それゆえに、上記されるように、本願明細書における例示的な装置は、（他のコンポーネントの中でも）プロセッサ２１６、２２４と、プロセッサ２１６、２２４に動作可能に接続されたディスプレイ装置２１２などを含む。ディスプレイ装置２１２は、ディスプレイ装置２１２に表示された画面と相互作用する１つ以上のユーザ入力コンポーネント２５０を含む。プロセッサ２１６、２２４は、文書の印刷に関連する「印刷メニュー」電子ディスプレイ画像３５０をディスプレイ装置２１２に提供し、ディスプレイ装置２１２は、それを表示する。印刷メニュー電子ディスプレイ画像３２０は、「プレビュー」メニューオプションを有する。そのような文書は、元のページ順序で文書ページを含む。ユーザ入力コンポーネント２５０を介したプレビューメニューオプションの選択に応答して、プロセッサ２１６、２２４は、「可動サムネイル」電子ディスプレイ画像３２０をディスプレイ装置２１２に提供し、ディスプレイ装置２１２は、それを表示する。
【００５６】
可動サムネイル電子ディスプレイ画像３２０は、ディスプレイ装置２１２の寸法に沿って（例えば、ディスプレイ装置２１２のエッジに平行に）元のページ順序で互いに順次隣接する文書ページの元のサイズのサムネイル画像３１８の線形ストリップを表示する。ユーザ入力コンポーネント２５０は、選択されたサムネイル画像３００を特定するために可動サムネイル電子ディスプレイ画像３２０内の文書ページのサムネイル画像３１８のうちの少なくとも１つの選択を検出することができる。この選択に応答して、ディスプレイ装置２１２は、選択されたサムネイル画像３００のサイズを変更することなく、選択されたサムネイル画像３００の外観を変更することにより、文書ページの選択されていないサムネイル画像３１８に対して可動サムネイル電子ディスプレイ画像３２０内の選択されたサムネイル画像３００を強調表示する。
【００５７】
同様に、複数のサムネイル画像３１８が選択された場合、複数の選択されたサムネイル画像３００は、単一ユニット３２２として積層される。それゆえに、ユーザが複数のサムネイル画像３００、３０２を選択した場合、ユーザが選択されていないサムネイル画像３１８の線形ストリップから離れるように選択されたサムネイル画像３００のうちの１つを移動させ始めると、全ての選択されたサムネイル画像３００、３０２は、選択されていないサムネイル画像３１８の線形ストリップから離れるように一斉に移動し、ディスプレイ３２０上で積層画像３２２として滑らかに一体となる。
【００５８】
ユーザ入力コンポーネント２５０はまた、可動サムネイル電子ディスプレイ画像３２０内の選択されていないサムネイル画像３１８の線形ストリップに対してほぼ垂直であり且つ線形ストリップから離れる第１の方向における選択されたサムネイル画像３００の移動を検出することができる。選択されていないサムネイル画像３１８から離れる選択されたサムネイル画像３００の移動に応答して、ディスプレイ装置２１２は、同様に選択されたサムネイル画像３００のサイズを変更することなく、可動サムネイル電子ディスプレイ画像３２０内の元のサイズに対して選択されていないサムネイル画像３１８のサイズを縮小する。上述したように、ディスプレイ３２０は、解放される場合、選択されたサムネイル画像３００（又は積層画像の単一ユニット）が選択されていないサムネイル画像３１８の線形ストリップ内に配置される場合を特定する線形インジケータ３２６を提供することができる。それゆえに、ユーザは、選択されて走査されたページを解放することができ、ページは、線形インジケータ３２６の位置にスナップする。
【００５９】
さらに、ユーザ入力コンポーネント２５０は、可動サムネイル電子ディスプレイ画像３２０内の選択されていないサムネイル画像３１８の線形ストリップにほぼ平行な第２の方向における選択されたサムネイル画像３００の移動を検出することができる。ディスプレイ装置２１２は、（ユーザ入力コンポーネント２５０が選択されていないサムネイル画像３１８の線形ストリップに平行な第２の方向における選択されたサムネイル画像３００の移動を検出するのにともない）選択されたサムネイル画像３００が２つの隣接するサムネイル画像３１８に近接して配置される場合、選択されていないサムネイル画像３１８の線形ストリップにおける２つの隣接するサムネイル画像の間隔（３２８）を元の間隔から増加させる。さらに、ディスプレイ装置２１２は、選択されたサムネイル画像３００が可動サムネイルの電子ディスプレイ画像３２０内の選択されていないサムネイル画像３１８の他の隣接するものに近接して配置されない場合、他の隣接するサムネイル画像の間隔を元の間隔に戻す。
【００６０】
選択されたサムネイル画像３００が２つの隣接するサムネイル画像３１８の間の空間３２８に解放されると、ディスプレイ装置２１２は、選択されていないサムネイル画像３１８を元のサイズに戻し、これは、元のページ順序から線形ストリップ内の異なる位置に選択されたサムネイル画像３００を有する異なる順序へと、文書ページの元のサイズのサムネイル画像３１８の線形ストリップを変更する。
【００６１】
いくつかの例示的な構造が添付図面に示されているが、当業者は、図面は簡略化された概略図であり、以下に提示される特許請求の範囲は図示されていない（又は潜在的に多くはない）がそのような装置及びシステムとともに一般的に利用されるより多くの特徴を包含することを理解するであろう。したがって、特許出願人は、以下に提示される特許請求の範囲が添付図面によって限定されることを意図しておらず、代わりに、添付図面は、特許請求された特徴が実施されることができるいくつかの方法を例示するために提供されるにすぎない。
【００６２】
多くのコンピュータ化装置が上述されている。チップベースの中央処理装置（ＣＰＵ）と、（グラフィックユーザインターフェース（ＧＵＩ）、メモリ、コンパレータ、有形プロセッサなどを含む）入出力装置とを含むコンピュータ化装置は、米国テキサス州ラウンドロックのデルコンピュータ及び米国カリフォルニア州クパチーノのアップルコンピュータ社などの製造業者によって製造された、周知の且つ容易に入手可能な装置である。そのようなコンピュータ化装置は、一般に、入出力装置、電源、有形プロセッサ、電子記憶メモリ、配線などを含み、読者が本願明細書に記載されるシステム及び方法の顕著な態様にフォーカスするのを可能とするように、その詳細は本願明細書から省略されている。同様に、プリンタ、複写機、スキャナ及び他の類似の周辺機器は、米国コネチカット州ノーウォークのゼロックス社から入手可能であり、そのような装置の詳細は、簡潔性及び読者のフォーカスの目的のために本願明細書においては記載されない。
【００６３】
本願明細書において使用されるプリンタ又は印刷装置という用語は、任意の目的のために印刷出力機能を実行するディジタル複写機、製本機、ファクシミリ装置、複合機などの任意の装置を包含する。プリンタや印刷エンジンなどの詳細は周知であり、提示された顕著な特徴にフォーカスされた本開示を維持するために本願明細書においては詳細に記載されない。本願明細書におけるシステム及び方法は、カラー、モノクロで印刷する又はカラー若しくはモノクロ画像データを処理するシステム及び方法を包含することができる。全ての上述したシステム及び方法は、静電及び／又は電子写真装置及び／又はプロセスに特に適用可能である。
【００６４】
さらに、本願明細書において使用される「右（ｒｉｇｈｔ）」、「左（ｌｅｆｔ）」、「垂直（ｖｅｒｔｉｃａｌ）」、「水平（ｈｏｒｉｚｏｎｔａｌ）」、「上部（ｔｏｐ）」、「底部（ｂｏｔｔｏｍ）」、「上（ｕｐｐｅｒ）」、「下（ｌｏｗｅｒ）」、「下方（ｕｎｄｅｒ）」、「下（ｂｅｌｏｗ）」、「下層（ｕｎｄｅｒｌｙｉｎｇ）」、「上（ｏｖｅｒ）」、「上層（ｏｖｅｒｌｙｉｎｇ）」、「平行（ｐａｒａｌｌｅｌ）」、「垂直（ｐｅｒｐｅｎｄｉｃｕｌａｒ）」などの用語は、（特に断らない限り）それらが図面において配向及び図示されるように相対的位置であると理解される。「接触（ｔｏｕｃｈｉｎｇ）」、「上（ｏｎ）」、「直接接触（ｉｎ  ｄｉｒｅｃｔ  ｃｏｎｔａｃｔ）」、「当接（ａｂｕｔｔｉｎｇ）」、「直接隣接（ｄｉｒｅｃｔｌｙ  ａｄｊａｃｅｎｔ  ｔｏ）」などの用語は、少なくとも１つの要素が（記載された要素を分離する他の要素なしで）他の要素に物理的に接触することを意味する。さらに、自動化又は自動的にという用語は、（機械又はユーザによって）処理が開始されると、１つ以上の機械が任意のユーザからのさらなる入力なしで処理を行うことを意味する。本願明細書における図面において、同一の識別符号は、同一又は類似の項目を特定する。
【図１】
2018081683.tif 000003
【図２】
2018081683.tif 000004
【図３】
2018081683.tif 000005
【図４】
2018081683.tif 000006
【図５】
2018081683.tif 000007
【図６】
2018081683.tif 000008
【図７】
2018081683.tif 000009
【図８】
2018081683.tif 000010
【図９】
2018081683.tif 000011
【図１０】
2018081683.tif 000012
【図１１】
2018081683.tif 000013
【図１２】
2018081683.tif 000014
【図１３】
2018081683.tif 000015
【図１４】
2018081683.tif 000016
【図１５】
2018081683.tif 000017
【図１６】
2018081683.tif 000018
【図１７】
2018081683.tif 000019
【図１８】
2018081683.tif 000020